(57)【要約】【課題】種々の作業現場（規模）に応じて該作業周囲を囲う形態に簡単に変形して対応することができるとともに、優れた防音効果を発揮することができ、作業環境の良化向上を図ることができる仮設防音構造及びその仮設防音構造に使用される側壁パネルを提供する。【解決手段】互いに回動可能に直列状に連設された少なくとも４枚の平板状の側壁パネル１と、側壁パネル１のうち、一つの側壁パネル１の上縁部に一側縁が回動可能に取付けられる吸音材からなる平板状の上壁パネル２とからなり、側壁パネル１及び上壁パネル２は透明又は半透明の透光性を有しかつ吸音素材又は吸音構造から形成し、側壁パネル１及び上壁パネル２により他と遮蔽された防音空間部位を区画形成するように構成する。【選択図】図１
0003128165.tif 000002
【実用新案登録請求の範囲】
【請求項１】
互いに回動可能に直列状に連設された少なくとも４枚の平板状の側壁パネルと、該側壁パネルのうち、一つの側壁パネルの上縁部に一側縁が回動可能に取付けられる吸音材からなる平板状の上壁パネルとからなり、前記側壁パネル及び上壁パネルは透明又は半透明の透光性を有しかつ吸音素材又は吸音構造から形成し、前記側壁パネル及び上壁パネルにより他と遮蔽された防音空間部位を区画形成するように構成されることをと特徴とする仮設防音構造。
【請求項２】
請求項１記載の仮設防音構造であって、他と遮蔽された防音空間部位は、前記少なくとも４枚の側壁パネルを側方が閉塞される矩形状に枠組みするとともに、その一つの側壁パネルを出入り口用のドア部として構成し、その矩形空間の上部の開放部位に対し前記上壁パネルを載置するか、又は北壁パネルに重合してボックス状に区画形成されることを特徴とする仮設防音構造。
【請求項３】
請求項１記載の仮設防音構造であって、他と遮蔽された防音空間部位は、前記少なくとも４枚の側壁パネルを一側方が開放されるコ字状に枠組みするとともに、そのコ字状空間の上部の開放部位に対し前記上壁パネルを載置するか、又は側壁パネル重合してコ字状の区画形成されることを特徴とする仮設防音構造。
【請求項４】
請求項１記載の仮設防音構造であって、他と遮蔽された防音空間部位は、前記少なくとも４枚の側壁パネルをＬ字状に枠組みするとともに、その隅角部の上部の開放部位に対し前記上壁パネルを載置するか、側壁パネルに重合してＬ字状に区画形成されることを特徴とする仮設防音構造。
【請求項５】
請求項１記載の仮設防音構造であって、他と遮蔽された防音空間部位は、前記少なくとも４枚の側壁パネル及び上壁パネルを建設機械車両の外側に沿って配設し、該建設機械車両に対してその側側に区画形成されることを特徴とする仮設防音構造。
【請求項６】
請求項１記載の仮設防音構造であって、他と遮蔽された防音空間部位は、前記少なくとも４枚の側壁パネルに対し上壁パネルを折畳んで一つの側壁パネルに重合し、その側壁パネルを立設して壁状に区画形成されることを特徴とする仮設防音構造。
【請求項７】
請求項１記載の仮設防音構造であって、枠体を平面矩形状に枠組みして内部に作業空間が形成されかつ該枠体の下面から出没可能に装備された車輪を備えた移動台車に対し、その枠体に前記作業空間を囲むように前記側壁パネルを立設可能となしたことを特徴とする仮設防音構造。
【考案の詳細な説明】
【技術分野】
【０００１】
本考案は、建設工事の作業現場において、その種々の作業に際し、該作業周囲を囲うように設置される仮設防音構造に関するものである。
【背景技術】
【０００２】
一般に、例えば、道路の舗装工事等の建設工事にあっては、その工事（作業）に伴う騒音が大きいため、工事（作業）付近の住民等に対する環境保護として、工事（作業）中は、仮設の防音壁が必要となる。そして、ブレーカーを用いたアスファルト舗装版やコンクリート舗装版の取壊し、切削作業等や、プレートコンパクターを用いた舗装材料の敷均し、締固め作業等においては、騒音量が非常に大きいことと、騒音源自体は小さいが作業の進行によって移動していくという作業特徴をもっている。また、作業のためには、所定の明るさが必要であり、作業周辺を囲う不透明な防音壁の場合には、別設の照明手段が必要となる。
従来の、これら作業環境の保護手段としては、工事現場の周囲を覆って騒音、粉塵等が外部に飛散することを防止し得るように、２枚の光透過性樹脂板の間に空気層を形成した構造の透光性保温断熱パネルが案出されている。（特許文献１参照）
また、複数個の防護板を折畳み自在に連接し、各防護板の下部に該防護板を移動及び固定するための回転移動部材（キャスター）が設けられた構造の移動式防護壁が案出されている。（特許文献２参照）
【特許文献１】登録実用新案公報第３００４９２８号
【特許文献２】実願平７−４０９１３号公報
【考案の開示】
【考案が解決しようとする課題】
【０００３】
しかしながら、上記した前者のものにあっては、保温、防音効果を備え、かつ別設の照明手段を不要とするものの、騒音源の移動に対して対応することができず、また、後者のものにあっては、騒音源の移動に対して対応するものの、単に、防護板を壁状（屏風状）に立てるのみの構造にしか対応することができず、いずれの手段にあっても、防音効果を満足するには至っていないという問題点を残していた。
そこで、本考案は、種々の作業現場（規模）に応じて該作業周囲を囲う形態に簡単に変形して対応することができるとともに、優れた防音効果を発揮することができ、作業環境の良化向上を図ることができる仮設防音構造を提供することを課題とする。
【課題を解決するための手段】
【０００４】
上記した課題は、各請求項記載の考案によって解決される。
請求項１記載の考案は、互いに回動可能に直列状に連設された少なくとも４枚の平板状の側壁パネルと、該側壁パネルのうち、一つの側壁パネルの上縁部に一側縁が回動可能に取付けられる吸音材からなる平板状の上壁パネルとからなり、前記側壁パネル及び上壁パネルは透明又は半透明の透光性を有しかつ吸音素材又は吸音構造から形成し、前記側壁パネル及び上壁パネルにより他と遮蔽された防音空間部位を区画形成するように構成されることを要旨とする。
この構成によれば、少なくとも４枚の平板状の側壁パネルと上壁パネルとの任意に組付けることによって、他と遮蔽された任意な防音空間部位を区画形成することができ、該空間部位から外部に飛散される騒音を可及的に防止するものである。
また、遮蔽された任意な防音空間部位は、側壁パネル及び上壁パネルが透明又は半透明の透光性を有するため、種々の作業に対して別設の照明手段を不要とするものである。
【０００５】
請求項２記載の考案は、請求項１記載の仮設防音構造であって、他と遮蔽された防音空間部位は、前記少なくとも４枚の側壁パネルを側方が閉塞される矩形状に枠組みするとともに、その一つの側壁パネルを出入り口用のドア部として構成し、その矩形空間の上部の開放部位に対し前記上壁パネルを載置するか、又は北壁パネルに重合してボックス状に区画形成されることを要旨とする。
この構成によれば、少なくとも４枚の平板状の側壁パネルと上壁パネルとを組付けることによって、他と遮蔽されたボックス状の防音空間部位を区画形成することができ、該空間部位から外部に飛散される騒音を可及的に防止するものである。
また、遮蔽された任意な防音空間部位は、側壁パネル及び上壁パネルが透明又は半透明の透光性を有するため、種々の作業に対して別設の照明手段を不要とするものである。
そして、一つの側壁パネルを出入り口用のドア部として構成することによって、その防音空間部位への出入り容易にして作業性の良化向上を図るものである。
【０００６】
請求項３記載の考案は、請求項１記載の仮設防音構造であって、他と遮蔽された防音空間部位は、前記少なくとも４枚の側壁パネルを一側方が開放されるコ字状に枠組みするとともに、そのコ字状空間の上部の開放部位に対し前記上壁パネルを載置するか、又は側壁パネル重合してコ字状の区画形成されることを要旨とする。
この構成によれば、少なくとも４枚の平板状の側壁パネルと上壁パネルとを組付けることによって、他と遮蔽されたコ字状の防音空間部位を区画形成することができ、該空間部位から外部に飛散される騒音を可及的に防止するものである。
また、遮蔽された任意な防音空間部位は、側壁パネル及び上壁パネルが透明又は半透明の透光性を有するため、種々の作業に対して別設の照明手段を不要とするものである。
【０００７】
請求項４記載の考案は、請求項１記載の仮設防音構造であって、他と遮蔽された防音空間部位は、前記少なくとも４枚の側壁パネルをＬ字状に枠組みするとともに、その隅角部の上部の開放部位に対し前記上壁パネルを載置するか、側壁パネルに重合してＬ字状に区画形成されることを要旨とする。
この構成によれば、少なくとも４枚の平板状の側壁パネルと上壁パネルとを組付けることによって、他と遮蔽されたＬ字状の防音空間部位を区画形成することができ、該空間部位から外部に飛散される騒音を可及的に防止するものである。
また、遮蔽された任意な防音空間部位は、側壁パネル及び上壁パネルが透明又は半透明の透光性を有するため、種々の作業に対して別設の照明手段を不要とするものである。
【０００８】
請求項５記載の考案は、請求項１記載の仮設防音構造であって、他と遮蔽された防音空間部位は、前記少なくとも４枚の側壁パネル及び上壁パネルを建設機械車両の外側に沿って配設し、該建設機械車両に対してその側側に区画形成されることを要旨とする。
この構成によれば、少なくとも４枚の平板状の側壁パネルと上壁パネルとを建設機械車両に対してその外側に組付けることによって、該建設機械車両に対してその外側に他と遮蔽された防音空間部位を区画形成することができ、該空間部位から外部に飛散される建設機械車両の騒音を可及的に防止するものである。
【０００９】
請求項６記載の考案は、請求項１記載の仮設防音構造であって、他と遮蔽された防音空間部位は、前記少なくとも４枚の側壁パネルに対し上壁パネルを折畳んで一つの側壁パネルに重合し、その側壁パネルを立設して壁状に区画形成されることを要旨とする。
この構成によれば、他と遮蔽された防音空間部位を区画形成することができ、該空間部位から外部に飛散される騒音を可及的に防止するものである。
また、遮蔽された任意な防音空間部位は、側壁パネル及び上壁パネルが透明又は半透明の透光性を有するため、種々の作業に対して別設の照明手段を不要とするものである。
【００１０】
請求項７記載の考案は、請求項１記載の仮設防音構造であって、枠体を平面矩形状に枠組みして内部に作業空間が形成されかつ該枠体の下面から出没可能に装備された車輪を備えた移動台車に対し、その枠体に前記作業空間を囲むように前記側壁パネルを立設可能となしたことを要旨とする。
この構成によれば、移動台車上に対し、該移動台車に形成した作業空間に対応して他と遮蔽された任意（特に、ボックス状が最適である。）の防音空間部位を区画形成するように載置することによって、予め、防音空間部位を形成したままで、作業部位に移動し得、当該作業部位に移動台車を固定することができる。この場合においても、勿論のこと、該空間部位から外部に飛散される騒音を可及的に防止するものであり、遮蔽された防音空間部位は、側壁パネル及び上壁パネルが透明又は半透明の透光性を有するため、種々の作業に対して別設の照明手段を不要とするものである。
【考案の効果】
【００１１】
請求項１記載の考案においては、種々の作業現場（規模）に応じて該作業周囲を囲う形態に簡単に変形対応して、他と遮蔽された任意な防音空間部位を区画形成することができ、該空間部位から外部に飛散される騒音を可及的に防止して優れた防音効果を発揮し得、その作業環境の良化向上を図ることができる。
【００１２】
請求項２記載の考案によれば、種々の作業現場（規模）に応じて該作業周囲を囲う形態に簡単に変形対応して、他と遮蔽されたボックス状の防音空間部位を区画形成することができ、該空間部位から外部に飛散される騒音を可及的に防止して優れた防音効果を発揮し得、その作業環境の良化向上を図ることができる。
【００１３】
請求項３記載の考案によれば、種々の作業現場（規模）に応じて該作業周囲を囲う形態に簡単に変形対応して、他と遮蔽されたコ字状の防音空間部位を区画形成することができ、該空間部位から外部に飛散される騒音を可及的に防止して優れた防音効果を発揮し得、その作業環境の良化向上を図ることができる。
【００１４】
請求項４記載の考案によれば、種々の作業現場（規模）に応じて該作業周囲を囲う形態に簡単に変形対応して、他と遮蔽されたＬ字状の防音空間部位を区画形成することができ、該空間部位から外部に飛散される騒音を可及的に防止して優れた防音効果を発揮し得、その作業環境の良化向上を図ることができる。
【００１５】
請求項５記載の考案によれば、建設機械車両に対してその外側に他と遮蔽された防音空間部位を区画形成することができ、該空間部位から外部に飛散される建設機械車両の騒音を可及的に防止して優れた防音効果を発揮し得、その作業環境の良化向上を図ることができる。
【００１６】
請求項６記載の考案によれば、種々の作業現場（規模）に応じて該作業周囲を囲う形態に簡単に変形対応して、上壁パネルを重合した側壁パネルを立設し、他と遮蔽された防音空間部位を区画形成することができ、該空間部位から外部に飛散される騒音を可及的に防止して優れた防音効果を発揮し得、その作業環境の良化向上を図ることができる。
【００１７】
請求項７記載の考案によれば、予め、側壁パネル及び上壁パネルにより、防音空間部位を形成したままで、作業部位に移動し得、また、当該作業部位に移動台車を固定することができ、仮設防音構造船体の移動及び設置を簡単かつ容易になし得、該空間部位から外部に飛散される騒音を可及的に防止して優れた防音効果を発揮し得、その作業環境の良化向上を図ることができる。
【考案を実施するための最良の形態】
【００１８】
次に、本考案を実施するための最良の形態について、実施例にしたがって説明する。
【実施例】
【００１９】
図に示すように、本実施例の仮設防音構造は、平板状の４枚の側壁パネル１〜１と同じく平板状の１枚の上壁パネル２とを主体として構成されている。
【００２０】
前記各側壁パネル１は、そのパネル本体３が所定の空間部Ｓを隔てて対峙させた矩形状の２枚の合成樹脂製からなるパネル板４、４と、該パネル板４、４の周囲を囲み、かつ前記空間部Ｓを保持するスペーサ５を介して取付けられた外枠６とから形成されている。前記パネル板４、４は透明又は半透明の透光性で、所定の剛性、強度を有する材質であればよいが、とくに、耐候性、防音性、剛性、強度に優れたポリカーボネート等の合成樹脂から形成することが好ましい。また、スペーサ５及び外枠６は、軽量で、剛性、強度に優れたアルミニウム製が好ましい。
【００２１】
また、前記外枠６、パネル板４、４、スペーサ５は、リベット、ねじ、組のボルト、ナット等の留め具７によりそれぞれ固定されている。
【００２２】
前記１枚の上壁パネル２は、前記側壁パネル１と同様に、そのパネル本体８が所定の空間部を隔てて対峙させた矩形状の２枚の合成樹脂製からなるパネル板９と、該パネル板９の周囲を囲み、かつ前記空間部を保持するスペーサ（図示しない）を介して取付けられた外枠１０とから形成されている。前記パネル板９は、側壁パネル１と同様に、透明又は半透明の透光性で、所定の剛性、強度を有する材質であればよいが、とくに、耐候性、防音性、剛性、強度に優れたポリカーボネート等の合成樹脂から形成することが好ましい。また、スペーサ及び外枠１０は、軽量で、剛性、強度に優れたアルミニウム製が好ましい。
【００２３】
前記各側壁パネル１の下縁部には、所望の長さの吸音部材１１がビス等の任意手段を介して着脱可能に装設されており、この吸音部材１１は、グラスウール、ロックウール、伸縮性に富むスポンジ状のもの（多孔質樹脂発泡体であるウレタンフォーム、合成ゴム等）等から形成することが好ましい。また、この吸音部材１１は、図示しないが、２枚以上の吸音部材間の片面に微細な凹凸を形成したシートを挿入接着した構造のものも使用することができる。
【００２４】
そして、前記各側壁パネル１〜１は、図２に示すように、その側端面どうしを対向させて蝶番１２〜１２により互いに回動可能（折曲可能）に直列状に連設されとり、その接合される各端面には図１０、１１に示すように、スポンジ等の吸音材１３〜１３が貼着されている。なお、蝶番１２〜１２は、前記留め具７を介して外枠６に取付けられている。
【００２５】
前記連設状態にある一の側壁パネル１（図２では端から２つ目の側壁パネル１）の上縁部には前記上壁パネル２がその一側縁を、蝶番１２を介して回動可能（折曲可能）に取付けられている。
【００２６】
また、本実施例の仮設防音構造の一部として構成される移動台車１４について、図１２〜１７を参照して説明すると、移動台車１４は、枠体１５を平面矩形状に枠組みして内部に矩形状の作業空間Ｓ１が形成されており、この枠体１５の各４辺上のそれぞれ２箇所にはＬ字状の取付金具１６〜１６がボルト等の締付け手段１７〜１７を介して定置され、該
枠体１５の対向する対の２辺下面には４つの車輪１８が該枠体１５の下面から出没可能に装備されている。なお、前記各取付金具１６の立片には各側壁パネル１のほぼ下部側面を押圧状に固止する押え板１９を備えたボルト等の締付け手段２０がそれぞれ螺入されている。
【００２７】
前記車輪１８は、枠体１５に傾動可能に支承されたＬ形ブラケット２１の一方先端部に回転可能に軸支され、該Ｌ形ブラケット２１の他方端部には流体圧シリンダ（図示しない）のシャフト２２と連接されている。しかして、車輪１８はシャフト２２の進退動によって、Ｌ形ブラケット２１を介して該枠体１５の下面から出没可能に動作され、他の車輪１８もこれと同期的に動作されるように構成されている。
なお、枠体１５の下面には、前述した吸音材１１と同様に構成した吸音材１１が設けられている。
【００２８】
続いて、上記のように構成された仮設防音構造として、それぞれの防音空間部位を形成する態様について説明する。
【００２９】
図１に示すように、４枚の側壁パネル１を側方が閉塞される矩形状に枠組みするとともに、その一つの側壁パネル１を出入り口用のドア部１ｄとして構成し、その矩形空間の上部の開放部位に対し上壁パネル２を載置してボックス状に区画形成される他と遮蔽された防音空間部位が形成されるものである。
【００３０】
この場合、ドア部１ｄとして構成される一つの側壁パネル１には別に取っ手２３及び施錠用のカンヌキ手段２４を設けるようにしてもよい。
【００３１】
また、各側壁パネル１の吸音部材１１は設置面に接触された状態を保持し、防音空間部位の遮蔽性を高め、その防音効果を大きく助長することができる。
【００３２】
そして、側壁パネル１の折曲げにより形成される各隅部には図１１に示すように、Ｌ字状の補強金具２５が留め具７により取外し可能に取付けられるものである。
【００３３】
上記のようにして四方の側方及び上方が遮蔽されたボックス状の防音空間部位が区画形成され、この仮設防音構造内（防音空間部位内）において、図３（Ａ）に示すように所定の作業が行われ、該作業により発生する騒音が外部に飛散することを可及的に防止する。
なお、上壁パネル２を一つの側壁パネル１に重合して上方が開放されたボックス状の防音空間部位を区画形成することもでき、同等の作用効果を享受するものである。
【００３４】
また、４枚の側壁パネル１を一側方が開放されるコ字状に枠組みするとともに、そのコ字状空間の上部の開放部位に対し上壁パネル２を載置して、他と遮蔽されたコ字状の防音空間部位が区画形成されるものである。
したがって、三方の側方及び上方が遮蔽されたコ字状の防音空間部位が区画形成され、この仮設防音構造内（防音空間部位内）において、所定の作業が行われ、該作業により発生する騒音が外部に飛散することを可及的に防止するものである。
なお、この場合も、側壁パネル１の折曲げにより形成される各隅部にはＬ字状の補強金具が留め具により取外し可能に取付けられるものである。
また、上壁パネル２を一つの側壁パネル１に重合して上方が開放されたコ字状の防音空間部位を区画形成することもでき、同等の作用効果を享受するものである。
【００３５】
次いで、４枚の側壁パネル１をＬ字状に枠組みするとともに、その隅角部の上部の開放部位に対し上壁パネル２を載置して、他と遮蔽されたＬ字状の防音空間部位が区画形成されるものである。
上記のようにして二方の側方及びその隅部上方が遮蔽あれたＬ字状の防音空間部位が区画形成され、この仮設防音構造内において、図３（Ｂ）に示すように所定の作業が行われ、該作業により発生する騒音が外部に飛散することを可及的に防止する。
なお、この場合も、側壁パネル１の折曲げにより形成される各隅部にはＬ字状の補強金具が留め具により取外し可能に取付けられるものである。
また、上壁パネル２を一つの側壁パネル１に重合して上方が開放されたＬ字状の防音空間部位を区画形成することもでき、同等の作用効果を享受するものである。
【００３６】
さらに、図４に示すように、４枚の側壁パネル１に対し上壁パネル２を折畳んで一つの側壁パネル２に重合し、その側壁パネル１を立設して壁状の他と遮蔽された防音空間部位が区画形成されるものである。
これによって、立設状態の側壁パネル１によって他と遮蔽された防音空間部位が区画形成され、この仮設防音構造内において、所定の作業が行われ、該作業により発生する騒音が外部に飛散することを可及的に防止する。
そして、側壁パネル１の連接部位には図１０に示すように、平板状の補強金具２５ａが留め具７により取外し可能に取付けられるものである。
【００３７】
この場合、図４及び図６に示すように、各側壁パネル１の連設部位及び両端には筋交を備えた別の支柱２６に対して取付金具２７を介して設置されるものであり、また、図５及び図７に示すように、前記した支柱２６に車輪２６ａを備えた別の支え手段２８に対し、両端に位置された側壁パネル１の両端を取付けることによって、仮設防音構造全体の移動を容易にすることができるとともに、前述したように、該仮設防音構造内において、所定の作業が行われ、該作業により発生する騒音が外部に飛散することを可及的に防止することは勿論のことである。
【００３８】
さらに、図８及び図９に示すように、上記状態の各側壁パネル１を屏風上に折曲させて設置して、壁状に他と遮蔽された防音空間部位を区画形成することもできる。この場合は、前述した支柱２６及び支え手段２８を使用しなくてもよく、前述したように、該仮設防音構造内において、所定の作業が行われ、該作業により発生する騒音が外部に飛散することを可及的に防止するものである。
この場合も、前述と同様に、側壁パネル１の折曲げにより形成される各隅部にはＬ字状の補強金具２５が留め具により取外し可能に取付けられるものである。
【００３９】
そして、図１２〜図１７に示す移動台車１２に対し仮設防音構造を取付ける場合について説明する。
移動台車１４の枠体１５上に、その作業空間Ｓ１を囲むように各側壁パネル１を任意に折曲（特に、ボックス状が最適である。）した状態で各取付金具１６〜１６の内側に位置して立設し、この各側壁パネル１のほぼ下部を前記取付金具１６〜１６に螺入した締付け手段２０〜２０により押圧状に固止する（図１４及び図１５参照）。
これによって、移動台車１４に対し前述した図１に示す仮設防音構造と同様に四方の側方及び上方が遮蔽されたボックス状の防音空間部位が区画形成される。
【００４０】
そして、上記の状態のまま、移動台車１４を当該作業部位に移動するとともに、その車輪１８を枠体１５の下面から該枠体１５内に位置させて移動台車１４を固定し、移動台車１４の作業空間Ｓ１を利用して当該作業部位おいて種々の作業を行うことだできる。
【００４１】
したがって、この移動台車１４を用いることによって、予め、防音空間部位を形成したままで、仮設防音構造全体を作業部位に移動し得、そのまま当該作業部位に固定することができる。
【００４２】
この場合においても、勿論のこと、該空間部位から外部に飛散される騒音を可及的に防止するものであり、移動台車１４の枠体１５下面に設けた吸収材１３によってその防音効果を助長し得、遮蔽された防音空間部位は、側壁パネル１及び上壁パネル２が透明又は半透明の透光性を有するため、種々の作業に対して別設の照明手段を不要とするものである。
【００４３】
次いで、仮設防音構造を建設機械車両の防音手段として用いた場合について図２１〜図２３を参照して説明する。
この場合は、４枚の側壁パネル１及び上壁パネル２を少なくとも２組用意し、該８枚の側壁パネル１を建設機械車両Ｈの両側面及び背面に亘り立設状に配設し、それぞれの上壁パネル２を該建設機械車両Ｈの上面に配置して建設機械車両Ｈに対してその両側面及び背面並びに上面に亘り亘り他と遮蔽された防音空間部位を区画形成する。
この場合、建設機械車両Ｈに対する側壁パネル１の取付けにあっては、図２３に示すように例えば、チャンネル上の取付けブラケット２９〜２９を介してボルト、ナット等の締付け手段３０により取外し可能にそれぞれ締着固定するものである。
【００４４】
これによって、該建設機械車両Ｈに対してその両側面及び背面並びに上面に亘り他と遮蔽された防音空間部位を区画形成することができ、該空間部位から外部に飛散される建設機械車両Ｈの騒音を可及的に防止するものである。
なお、最小限の防音性を確保すればよい場合は、少なくとも１組の仮設防音構造を用意し、一側面のみを遮蔽するように取付けることでもよく、この場合、上壁パネルは折畳んで一つの側面パネル１に重合するようにしてもよい。さらに、１組以上の仮設防音構造を用意し、建設機械車両Ｈの前面まで囲み、該建設機械車両Ｈの外側（周囲）を全て遮蔽する防音空間部位を区画形成することもできる。
【００４５】
次に、側面パネル１及び上壁パネル２におけるパネル板４、９の別例を図１８〜図２０にしたがって説明すると、この別例にあって、側面パネル１及び上壁パネル２を１枚のパネル板４、９から構成したものであり、該パネル板４、９の４周の縁部をほぼ直角状に折曲し、その折曲部位に対して外枠１０をスペーサ５を介して囲むように取付けて構成されており、その該パネル板４、９、外枠１０、スペーサ５の材質及びその他の構成等は前述の実施例と同様であるのでその説明を省略する。
したがって、この側面パネル１及び上壁パネル２にあっても、前述した各態様の作用効果を享受するものである。
なお、図では、パネル板４、９の４周の縁部をほぼ直角状に折曲して折曲部位を形成する構成としたが、この折曲部を形成することなく、平板状のままその側周の外枠をスペーサを介して囲むように取付けて構成することもできる。
【００４６】
さらに、側面パネル１の別例を図２４〜図２６にしたがって説明すると、この別例は、側面パネル１を構成する２枚のパネル板４の空間部Ｓ内に発光ダイオード点滅灯３１（図２４参照）（請求項９における発光表示手段に相当する。）又は発光ダイオード標示板３２（請求項９における発光表示手段に相当する。）を装設したものであり、図２４に示すように、発光ダイオード点滅灯３１は、例えば、赤色に発光するもの（他の色でもよい）が使用され、側面パネル１のほぼ上部に対し、一列状（図では一列を示すが複数列でもよい。）に配置されるとともに、その適宜部位を外枠６若しくはスペーサ５に対しチェーン、針金、ロープ、紐等の吊下げ固定具３３により定置されている。
また、図２６に示す発光ダイオード標示板３２は、例えば、工事に関する文字等を赤色（他の色でもよい）に発光する発光ダイオードで表出部が形成され、側面パネル１のほぼ上部中央に対して配置されるとともに、その適宜部位を発光ダイオード点滅灯３１の場合と同様に、外枠６若しくはスペーサ５に対しチェーン、針金、ロープ、紐等の吊下げ固定具３３により定置されている。
【００４７】
したがって、仮設防音構造として、これらの側面パネル１を用いることにより、その発光ダイオード点滅灯３１又は発光ダイオード標示板３２により、第三者に対する工事現場の視認（認識）、とくに夜間作業の視認（認識）を簡単かつ効果的になし得るものであり、その作業環境の良化向上を図ることができるとともに、該側面パネル１を用いて形成される仮設防音構造としては、勿論のこと、空間部位から外部に飛散される騒音を可及的に防止する。
【００４８】
この場合、各側面パネル１における発光ダイオード点滅灯３１又は発光ダイオード標示板３２の接続は、図に示すように、例えば、プラグ、コンセント３４等の接続具を使用するものであり、電源においても外部に別設されるバッテリー、発電機（図示しない）等が使用されるものである。
【００４９】
次に、図２７〜図３７に示す上記した別例について説明すると、図２７〜図３０に示す実施の形態においては、前述した側面パネル１を一枚のパネル板４により構成した場合を示し、該パネル板４の周囲を立ち上げてその立ち上げ部位を外枠６で囲むようにして構成したものであり、そのパネル体４の裏面側或いは表側に前記発光ダイオード点滅灯３１を取付けるための合成樹脂から形成された取付けブラケット３５、３５を接着等の手段を介して固定し、該取付けブラケット３５、３５の取付け孔３５ａに該発光ダイオード点滅灯３１を挿通して取付けるものである。
そして、上記側面パネル１どうしの連結にあっては図３０に示すように、端部の各表裏面に対向する一対に補強金具３６により取外し可能に連結されるものである。
また、図３１に示すように、発光ダイオード点滅灯３１を電球型の構成としてもよく、この場合は、前述したように、吊下げ固定具３３により定置されるものである。
【００５０】
さらに、図３２〜図３７に示すように、一枚のパネル板４を、左右に２分割して２枚で１組のパネル板として図３６に示すように構成してもよく、この場合、各パネル板４ａ、４ｂの周囲を立ち上げてその立ち上げ部位３８を形成し、その外側に位置されたの立ち上げ部位３８を外枠６で囲むようにして構成したものである。
そして、この各パネル板４ａ、４ｂの立ち上げ部位３８のほぼ中央部に取付け孔３９を貫設して、該取付け孔３９に前記発光ダイオード点滅灯３１を挿通して該発光ダイオード点滅灯３１を定置するようにしてもよく、図３４、３５に示すように、発光ダイオード点滅灯３１の両端を側面パネル２の両側から取付け孔３９を貫通して突出させることもできる。また、両パネル体４ａ、４ｂの接続にあっては、図３２に示すように、リベット状の固定具３７ａまたは図３７に示すようにコ字状の固定具３７により接続固定されるものである。なお、図３３（Ｂ）に示すように各側面パネル１〜１は前述したようにその端部の各表裏面に対向する一対に補強金具３６により取外し可能に連結されるものである。
【図面の簡単な説明】
【００５１】
【図１】一実施例の形態であるボックス状の仮設防音構造を示す斜視図である。
【図２】側壁パネル及び上壁パネルの連設状態を示す正面図である。
【図３】（Ａ）は、ボックス状の仮設防音構造内における作業説明図であり、（Ｂ）は、ボックス状の仮設防音構造からＬ字状の仮設防音構造に変形した状態での作業説明図である。
【図４】立設状態の仮設防音構造を示す正面図である。
【図５】立設状態の別例の仮設防音構造を示す正面図である。
【図６】立設状態の側壁パネルの設置状態を示す側面図である。
【図７】立設状態における側壁パネルの設置状態の別例を示す側面図である。
【図８】折曲した立設状態の仮設防音構造を示す正面図である。
【図９】折曲した立設状態の仮設防音構造を示す平面図である。
【図１０】側壁パネルにおける直線状の連設部位を示す拡大断面図である。
【図１１】側壁パネルにおける折曲状の連設部位を示す拡大断面図である。
【図１２】移動台車を略示する平面図である。
【図１３】移動台車を略示する正面図である。
【図１４】移動台車に対する側面パネルの取付け状態を略示する正面図である。
【図１５】移動台車に対する側面パネルの取付け状態を略示する側断面図である。
【図１６】移動台車における車輪を枠体内に没した状態を略示する正面図である。
【図１７】移動台車における車輪の作動手段を略示する正面図である。
【図１８】側面パネル及び上壁パネルにおけるパネル板の別例を示す斜視図である。
【図１９】図１８のＸ−Ｘ線端面図である。
【図２０】別例の側壁パネルにおける直線状の連設部位を示す拡大断面図である。
【図２１】建設機械車両に対し仮設防音構造を取付けた状態を略示する側面図である。
【図２２】同じく建設機械車両に対し仮設防音構造を取付けた状態を略示する平面図である。
【図２３】同じく建設機械車両に対する側壁パネルの取付け状態の断面図である。
【図２４】仮設防音構造における側壁パネルの別例を示す正面図である。
【図２５】同じく仮設防音構造における側壁パネルの別例を示す平断面図である。
【図２６】仮設防音構造における側壁パネルのさらなる別例を示す正面図である。
【図２７】発光ダイオード点滅灯を設けた側面パネルの別例を示す正面図である。
【図２８】同上側面パネルの平面図である。
【図２９】取付けブラケットを示す側面図である。
【図３０】同上側面パネルのどうしの連結状態を示す平面図である。
【図３１】発光ダイオード点滅灯の別例を示す正面図である。
【図３２】発光ダイオード点滅灯を設けた側面パネルのさらなる別例を示す正面図である。
【図３３】（Ａ）は、同上側面パネルの平面図であり、（Ｂ）は、側面パネルのどうしの連結状態を示す平面図である。
【図３４】発光ダイオード点滅灯の取付けの別例を示す正面図である。
【図３５】同上側面パネルの平面図である。
【図３６】パネル板の斜視図である。
【図３７】同上パネル板の接続状態の一例を示す平面図である。
【符号の説明】
【００５２】
１  側壁パネル
２  上壁パネル
３  パネル本体
４  パネル板
【図１】
0003128165.tif 000003
【図２】
0003128165.tif 000004
【図３】
0003128165.tif 000005
【図４】
0003128165.tif 000006
【図５】
0003128165.tif 000007
【図６】
0003128165.tif 000008
【図７】
0003128165.tif 000009
【図８】
0003128165.tif 000010
【図９】
0003128165.tif 000011
【図１０】
0003128165.tif 000012
【図１１】
0003128165.tif 000013
【図１２】
0003128165.tif 000014
【図１３】
0003128165.tif 000015
【図１４】
0003128165.tif 000016
【図１５】
0003128165.tif 000017
【図１６】
0003128165.tif 000018
【図１７】
0003128165.tif 000019
【図１８】
0003128165.tif 000020
【図１９】
0003128165.tif 000021
【図２０】
0003128165.tif 000022
【図２１】
0003128165.tif 000023
【図２２】
0003128165.tif 000024
【図２３】
0003128165.tif 000025
【図２４】
0003128165.tif 000026
【図２５】
0003128165.tif 000027
【図２６】
0003128165.tif 000028
【図２７】
0003128165.tif 000029
【図２８】
0003128165.tif 000030
【図２９】
0003128165.tif 000031
【図３０】
0003128165.tif 000032
【図３１】
0003128165.tif 000033
【図３２】
0003128165.tif 000034
【図３３】
0003128165.tif 000035
【図３４】
0003128165.tif 000036
【図３５】
0003128165.tif 000037
【図３６】
0003128165.tif 000038
【図３７】
0003128165.tif 000039